(57)【特許請求の範囲】
【請求項１】
ブルドン管に連通する圧力導入路を備えて圧力源に連結する軸部において、前記圧力源と前記圧力導入路との圧力平衡状態及び前記圧力源に生じる脈動の降圧推移では不完全遮断状態で流量絞り作用を強めて流動抵抗を上げ、前記脈動の昇圧推移に応動して前記流量絞り作用を緩めて流動抵抗を下げる動作を行う脈圧下げ止め手段を組み込んで成り、前記脈圧下げ止め手段は、中心点から放射方向に延びる複数の切り込みが形成されて成る隔膜弁と、この隔膜弁より前記圧力源側に位置し、前記隔膜弁の央部が離接可能であって前記隔膜弁の周縁側と接合した弁座面とを有しており、前記弁座面は前記中心点と整合する位置に開けた透孔を備え、前記隔膜弁の央部が、前記圧力平衡状態から前記脈動の昇圧推移に応動して前記弁座面から離反し前記圧力導入路側へ撓み変形した後、前記圧力平衡状態又は前記脈動の降圧推移に応動して前記弁座面に戻り接触することを特徴とするブルドン管圧力計。
【請求項２】
請求項１において、前記隔膜弁より撓み余裕空部を空けて前記圧力導入路側に位置し、前記隔膜弁に臨む撓み止め面を備えたストッパ部を有し、前記ストッパ部は前記中心点と整合する位置に開けた貫通孔を備えて成ることを特徴とするブルドン管圧力計。
【請求項３】
請求項２において、前記隔膜弁の周縁側が前記弁座面と前記ストッパ部とで挟持されていることを特徴とするブルドン管圧力計。
【請求項４】
ブルドン管に連通する圧力導入路を備えて圧力源に連結する軸部において、前記圧力源と前記圧力導入路との圧力平衡状態及び前記圧力源に生じる脈動の昇圧推移では不完全遮断状態で流量絞り作用を強めて流動抵抗を上げ、前記脈動の降圧推移に応動して前記流量絞り作用を緩めて流動抵抗を下げる動作を行う脈圧上げ止め手段を組み込んで成り、前記脈圧上げ止め手段は、中心点から放射方向に延びる複数の切り込みが形成されて成る隔膜弁と、この隔膜弁より前記圧力導入路側に位置し、前記隔膜弁のうち央部が離接可能であって前記隔膜弁の周縁側と接合した弁座面とを有しており、前記弁座面は前記中心点と整合する位置に開けた透孔を備え、前記隔膜弁の央部が、前記圧力平衡状態から前記脈動の降圧推移に応動して前記弁座面から離反し前記圧力源側へ撓み変形した後、前記圧力平衡状態又は前記脈動の昇圧推移に応動して前記弁座面に戻り接触することを特徴とするブルドン管圧力計。
【請求項５】
請求項４において、前記隔膜弁より撓み余裕空部を空けて前記圧力源側に位置し、前記隔膜弁に臨む撓み止め面を備えたストッパ部を有し、前記ストッパ部は前記中心点と整合する位置に開けた貫通孔を備えて成ることを特徴とするブルドン管圧力計。
【請求項６】
請求項５において、前記隔膜弁の周縁側が前記弁座面と前記ストッパ部とで挟持されていることを特徴とするブルドン管圧力計。
【請求項７】
請求項２又は請求項５において、前記撓み止め面は前記貫通孔をボトムとする凹状円錐面であることを特徴とするブルドン管圧力計。
【請求項８】
請求項２又は請求項５において、前記撓み止め面は前記貫通孔をボトムとする凹状湾曲面であることを特徴とするブルドン管圧力計。
【請求項９】
ブルドン管に連通する圧力導入路を備えて圧力源に連結する軸部において、前記圧力源と前記圧力導入路との圧力平衡状態及び前記圧力源に生じる脈動の降圧推移では不完全遮断状態で第１流量絞り作用を強めて流動抵抗を上げ、前記脈動の昇圧推移に応動して前記第１流量絞り作用を緩めて流動抵抗を下げる動作を行う脈圧下げ止め手段と、前記圧力平衡状態及び前記脈動の昇圧推移では不完全遮断状態で第２流量絞り作用を強めて流動抵抗を上げ、前記脈動の降圧推移に応動して前記第２流量絞り作用を緩めて流動抵抗を下げる動作を行う脈圧上げ止め手段とを直列に組み込んで成り、前記脈圧下げ止め手段が前記脈圧上げ止め手段に対して前記圧力源側に組み込まれており、前記脈圧下げ止め手段は、第１中心点から放射方向に延びる複数の第１切り込みが形成されて成る第１隔膜弁と、前記第１隔膜弁より前記圧力源側に位置し、前記第１隔膜弁の央部が離接可能であって前記第１隔膜弁の周縁側と接合した第１弁座面とを有しており、前記圧上げ止め手段は、前記第１隔膜弁より前記圧力導入路側に位置し、第２中心点から放射方向に延びる複数の第２切り込みが形成されて成る第２隔膜弁と、前記第２隔膜弁より前記圧力導入路側に位置し、前記第２隔膜弁の央部が離接可能であって前記第２隔膜弁の周縁側と接合した第２弁座面とを有しており、前記第１弁座面は前記第１中心点と整合する位置に開けた第１透孔を備え、前記第２弁座面は前記第２中心点と整合する位置に開けた第２透孔を備え、前記第１隔膜弁の央部が、前記圧力平衡状態から前記脈動の昇圧推移に応動して前記第１弁座面から離反し前記圧力導入路側へ撓み変形した後、前記圧力平衡状態又は前記脈動の降圧推移に応動して前記第１弁座面に戻り接触し、前記第２隔膜弁の央部が、前記圧力平衡状態から前記脈動の降圧推移に応動して前記第２弁座面から離反し前記圧力源側へ撓み変形した後、前記圧力平衡状態又は前記脈動の昇圧推移に応動して前記第２弁座面に戻り接触することを特徴とするブルドン管圧力計。
【請求項１０】
請求項９において、前記第１隔膜弁と前記第２隔膜弁との間に位置し、前記第１隔膜弁に第１撓み余裕空間を介して臨む第１撓み止め面と前記第２隔膜弁に第２撓み余裕空間を介して臨む第２撓み止め面とを表裏に備えた共用ストッパ部を有し、前記共用ストッパ部は前記第１中心点と前記第２中心点に整合する位置に開けた貫通孔を備えて成ることを特徴とするブルドン管圧力計。
【請求項１１】
請求項１０において、前記第１隔膜弁の周縁側が前記第１弁座面と前記共用ストッパ部とで挟持され、前記第２隔膜弁の周縁側が前記第２弁座面と前記共用ストッパ部とで挟持されていることを特徴とするブルドン管圧力計。
【請求項１２】
請求項１０において、前記第１及び第２撓み止め面はそれぞれ前記貫通孔をボトムとする凹状円錐面であることを特徴とするブルドン管圧力計。
【請求項１３】
請求項１０において、前記第１及び第２撓み止め面はそれぞれ前記貫通孔をボトムとする凹状湾曲面であることを特徴とするブルドン管圧力計。
【発明の詳細な説明】
【技術分野】
【０００１】
本発明は、ブルドン管圧力計に関し、特に、圧力源に発生する圧力脈動の影響を抑制して圧力計内部の変位拡大機構を保護するブルドン管圧力計に関する。
【背景技術】
【０００２】
従来、ブルドン管圧力計においては、圧力媒体の圧力脈動から圧力計内部の変位拡大機構の磨耗や損傷を低減するため、文字盤等を含むケース内に高粘度流体（グリセリン）を充填し、圧力脈動による変位拡大機構に印加する衝撃変位を粘性抵抗で抑制するものが知られているが、オイル漏れ防止のシール機構を必要とする外、経年変化で文字盤の印字が劣化するなどの不具合があった。
【０００３】
特表２００１−５０２０６５公報には、機械的に拡大変位機構の急変位を緩衝するための制振器を備えるブルドン管圧力計が開示されている。その制振器は、例えば、指針軸の端部が嵌る穴を持つ軸部とハウジング壁に当接するディスクとの一体品であって、穴には高粘度流体が充填され、ハウジング壁に当接するディスクの面には潤滑剤が塗布されている。指針軸のピニオンにブルドン管から変位拡大機構を介したセクターが噛み合っているが、圧力脈動の影響で指針軸に急激回転が加わっても、その回転が粘性抵抗により抑制される。
【特許文献１】特表２００１−５０２０６５公報
【発明の開示】
【発明が解決しようとする課題】
【０００４】
しかしながら、上記公報に係る制振器を備えるブルドン管圧力計においては、指針軸に急激回転が加わった際、その回転が粘性抵抗で抑制されるため、ピニオンとセクターとの噛み合い圧が強く、セクターとブルドン管とに挟まれた変位拡大機構にストレスが加わることになるため、変位拡大機構の塑性変形や劣化を招き易く、指針表示の狂いや短寿命化をもたらす。
【０００５】
そこで、上記問題点に鑑み、本発明の課題は、圧力源に発生する圧力脈動に対してブルドン管内での脈動振幅が減衰するブルドン管圧力計を提供することにある。
【課題を解決するための手段】
【０００６】
本発明の第１手段に係るブルドン管圧力計は、ブルドン管に連通する圧力導入路を備えて圧力源に連結する軸部（ソケット部）において、圧力源と圧力導入路との圧力平衡状態及び圧力源に生じる脈動の降圧推移では不完全遮断状態で絞り作用を強め、その脈動の昇圧推移に応動して上記の絞り作用を緩める動作を行う脈圧下げ止め手段を組み込んで成ることを特徴とする。
【０００７】
このブルドン管圧力計においては、圧力平衡状態及び脈動の降圧推移での絞り作用が不完全遮断状態であるため、圧力源と圧力導入路との間の緩やかな圧力移動が保証されているが、圧力源に圧力脈動が発生した場合、軸部に組み込んだ脈圧下げ止め手段は脈動（リップル）の昇圧推移に応動して絞り作用を緩めるため、圧力源から圧力導入路側への昇圧が移動し、脈動のトップ付近では大凡圧力平衡状態となるものの、脈動の降圧推移では脈圧下げ止め装置が不完全遮断状態で絞り作用を成すので、ブルドン管から圧力源に戻る圧力抜きが制限されてその圧力（計測圧力）の低下速度が弱まることになる。この緩慢な降圧過程において次の脈動が発生するとき、即ち脈動の発生頻度が高くなる程、ブルドン管の圧力がより脈動のトップ側圧力に維持されたままとなるため、ブルドン管での脈動振幅が減衰する。このため、激しい脈動発生でも指針表示の狂いを抑制でき、長寿命化を図ることができる。
【０００８】
この脈圧下げ止め手段としては、中心点から放射方向に延びる複数の切り込みが形成されて成る隔膜弁と、この隔膜弁より圧力源側に位置し、隔膜弁の央部が離接可能であって隔膜弁の周縁側と接合した弁座面とを有しており、弁座面は中心点と整合する位置に開けた透孔を備え、隔膜弁の央部が、圧力平衡状態から脈動の昇圧推移に応動して弁座面から離反し圧力導入路側へ撓み変形した後、脈動の降圧推移に応動して弁座面に戻り接触することを特徴とする。
【０００９】
脈動の昇圧推移では、圧力源から弁座面の透孔を介して隔膜弁の中心点に向けて圧力媒体が噴き出し、隔膜弁の央部が弁座面から離反し圧力導入路側へ撓み変形して切り込みの隙間が開くため、絞り作用が緩み、圧力導入路側へ圧力移動し、脈動のトップ付近では大凡圧力平衡状態となる。この圧力平衡状態から脈動の降圧推移では隔膜弁の央部が弁座面に戻り接触して絞り作用が回復するので、ブルドン管から圧力源に戻る圧力抜きが制限されてその圧力（計測圧力）の低下速度が弱まる。弁座面は隔膜弁の戻り動作のストッパとして機能し、隔膜弁の過度な撓み変形を抑制できるので、長寿命化を図ることができ、また弁座面は隔膜弁の中心点（切り込み交差点）に圧力媒体を通過させる透孔を有しているため、切り込み片の撓み変形の乱れを防止でき、緩み作用が昇圧推移に応動する。
【００１０】
隔膜弁より撓み余裕空部を空けて圧力導入路側に位置し、隔膜弁に臨む撓み止め面を備えたストッパ部を有し、ストッパ部は中心点と整合する位置に開けた貫通孔を備えて成る場合、このストッパ部で隔膜弁の過度な撓み変形を制限することができ、またストッパ部は隔膜弁の中心点（切り込み交差点）に圧力媒体を通過させる貫通孔を有しているため、切り込み片の撓み変形の乱れを防止でき、絞り作用が降圧推移に応動する。
【００１１】
脈圧下げ止め手段の部品点数の削減及びコンパクト化を図るには、隔膜弁の周縁側が弁座面とストッパ部とで挟持されていることが望ましい。
【００１２】
上記脈圧下げ止め手段としては、ブルドン管内のトップ圧側を一時保持して圧力降下を抑制するもので、降圧推移で絞り作用を成し昇圧推移でその絞り作用が緩む不完全遮断状態の逆止弁でもあるが、ブルドン管内のボトム圧側を一時保持して圧力上昇を抑制する脈圧上げ止め手段として、昇圧推移で絞り作用を成し降圧推移でその絞り作用が緩む不完全遮断状態の逆止弁も構成できる。
【００１３】
即ち、本発明の第２手段に係るブルドン管圧力計は、ブルドン管に連通する圧力導入路を備えて圧力源に連結する軸部において、圧力源と圧力導入路との圧力平衡状態及び圧力源に生じる脈動の昇圧推移では不完全遮断状態で絞り作用を強め、脈動の降圧推移に応動して絞り作用を緩める動作を行う脈圧上げ止め手段を組み込んで成ることを特徴とする。
【００１４】
このブルドン管圧力計においては、圧力平衡状態及び脈動の昇圧推移での絞り作用が不完全遮断状態であるため、圧力源と圧力導入路との間の圧力移動が可能であるが、圧力源に圧力脈動が発生した場合、その軸部に組み込んだ脈圧上げ止め手段が脈動の降圧推移に応動して絞り作用が緩むため、圧力導入路側の圧力の降圧は圧力源側の降圧推移に追従し、脈動のボトム圧付近では大凡圧力平衡状態となるものの、脈動の昇圧推移では脈圧上げ止め手段が不完全遮断状態の絞り作用を成すので、圧力源から圧力導入路への圧力移動が制限されてその圧力（計測圧力）の上昇速度が弱まることになる。この昇圧推移での圧力導入路の圧力上昇途中において次の脈動が発生するとき、即ち脈動の発生頻度が高くなる程、圧力導入路の圧力がより脈動のボトム側圧力に維持されたままとなるため、ブルドン管内の脈動振幅が抑制される。このため、激しい脈動でも指針表示の狂いを抑制でき、長寿命化を図ることができる。
【００１５】
この脈圧上げ止め手段としては、中心点から放射方向に延びる複数の切り込みが形成されて成る隔膜弁と、この隔膜弁より圧力導入路側に位置し、隔膜弁のうち央部が離接可能であって隔膜弁の周縁側と接合した弁座面とを有しており、弁座面は中心点と整合する位置に開けた透孔を備え、隔膜弁の央部が、圧力平衡状態から脈動の降圧推移に応動して弁座面から離反し圧力源側へ撓み変形した後、圧力平衡状態又は脈動の昇圧推移に応動して弁座面に戻り接触することを特徴とする。
【００１６】
脈動の降圧推移では、圧力導入路から弁座面の透孔を介して隔膜弁の中心点に向けて圧力媒体が噴き出し、隔膜弁の央部が弁座面から離反し圧力源側へ撓み変形し、切り込みの隙間が開くため、絞り作用が緩み、圧力導入路の圧力の降圧は圧力源の降圧推移に追従し、脈動のボトム付近では大凡圧力平衡状態となるが、この平衡状態から脈動の昇圧推移では隔膜弁の央部が弁座面に接触して絞り作用が戻るので、圧力源から圧力導入路への圧力移動が制限されてその圧力（計測圧力）の上昇速度が弱まる。弁座面は隔膜弁の戻り動作のストッパとして機能し、隔膜弁の過度な撓み変形を抑制できるので、長寿命化を図ることができ、また弁座面は隔膜弁の中心点（切り込み交差点）に圧力媒体を通過させる透孔を有しているため、切り込み片の撓み変形の乱れを防止でき、緩み作用が降圧推移に応動する。
【００１７】
隔膜弁より撓み余裕空部を空けて圧力源側に位置し、隔膜弁に臨む撓み止め面を備えたストッパ部を有し、ストッパ部は中心点と整合する位置に開けた貫通孔を備えて成る場合、このストッパ部で隔膜弁の過度な撓み変形を制限することができ、またストッパ部は隔膜弁の中心点（切り込み交差点）に圧力媒体を通過させる貫通孔を有しているため、切り込み片の撓み変形の乱れを防止でき、絞り作用が昇圧推移に応動する。
【００１８】
上記の脈圧上げ止め手段の部品点数の削減及びコンパクト化を図るには、隔膜弁の周縁側が弁座面とストッパ部とで挟持されていることが望ましい。
【００１９】
上記ストッパ部の撓み止め面としては、貫通孔をボトムとする凹状円錐面や凹状湾曲面とするのが良い。隔膜弁が撓み止め面に全体的に添って当て止めされるため、隔膜弁に応力集中が起らず、損傷や劣化を緩和でき、長寿命が図れる。
【００２０】
本発明の第３の手段に係るブルドン管圧力計としては、ブルドン管に連通する圧力導入路を備えて圧力源に連結する軸部において、圧力源と圧力導入路との圧力平衡状態及び脈動の降圧推移では不完全遮断状態で第１絞り作用を強め、脈動の昇圧推移に応動して第１絞り作用を緩める動作を行う脈圧下げ止め手段と、圧力平衡状態及び脈動の昇圧推移では不完全遮断状態で第２絞り作用を強め、脈動の降圧推移に応動して第２絞り作用を緩める動作を行う脈圧上げ止め手段とを直列に組み込んで成ることを特徴とする。
【００２１】
斯かる構成によれば、ブルドン管側の脈動の降圧を抑制する脈圧下げ止め手段と圧力源側の脈動の昇圧を抑制する脈圧上げ止め手段とが直列に装備されているため、ブルドン管での脈動振幅を大幅減衰させることができる。
【００２２】
脈圧下げ止め手段が脈圧上げ止め手段に対して圧力源側に組み込まれている場合、脈圧下げ止め手段は、第１中心点から放射方向に延びる複数の第１切り込みが形成されて成る第１隔膜弁と、第１隔膜弁より圧力源側に位置し、第１隔膜弁の央部が離接可能であって第１隔膜弁の周縁側と接合した第１弁座面とを有する。圧上げ止め手段は、第１隔膜弁より圧力導入路側に位置し、第２中心点から放射方向に延びる複数の第２切り込みが形成されて成る第２隔膜弁と、第２隔膜弁より圧力導入路側に位置し、第２隔膜弁の央部が離接可能であって第２隔膜弁の周縁側と接合した第２弁座面とを有する。第１弁座面は第１中心点と整合する位置に開けた第１透孔を備え、第２弁座面は第２中心点と整合する位置に開けた第２透孔を備え、第１隔膜弁の央部が、圧力平衡状態から脈動の昇圧推移に応動して第１弁座面から離反し圧力導入路側へ撓み変形した後、圧力平衡状態又は脈動の降圧推移に応動して第１弁座面に戻り接触し、第２隔膜弁の央部が、圧力平衡状態から脈動の降圧推移に応動して第２弁座面から離反し圧力源側へ撓み変形した後、圧力平衡状態又は脈動の昇圧推移に応動して第２弁座面に戻り接触する。
【００２３】
第１隔膜弁と第２隔膜弁との間に位置する共用ストッパ部の片面に第１撓み止め面を、その他面に第２撓み止め面を形成できるので、部品点数の削減とコンパクト化に資する。
【００２４】
また、第１隔膜弁の周縁側が第１弁座面と共用ストッパとで挟持され、第２隔膜弁の周縁側が第２弁座面と共用ストッパ部とに挟持されていることが望ましい。各隔膜弁を取着する部品点数を削減できる。また、第１及び第２撓み止め面としては、貫通孔をボトムとする凹状円錐面や凹状湾曲面とするのが望ましい。
【００２５】
なお、脈圧下げ止め手段が脈圧上げ止め手段に対して圧力導入路側に組み込まれている場合は、第１弁座面と第２弁座面を表裏とする１つの弁座部で共用化できる。
【発明の効果】
【００２６】
本発明に係るブルドン管圧力計においては、脈圧下げ止め手段及び／又は脈圧上げ止め手段を組み込んであるので、ブルドン管内では脈動振幅を減衰でき、指針表示の狂いを抑制し、長寿命化を図ることができる。
【発明を実施するための最良の形態】
【００２７】
次の本発明の実施例を添付図面に基づいて説明する。図１は本発明の実施例に係るブルドン管圧力計を正面図である。
【００２８】
本例のブルドン管圧力計は、円環状のブルドン管１を収めた扁平円柱状のゲージ本体２と、ブルドン管１に連通する圧力導入路３を備えて圧力源側の螺子穴に螺合するネジ部４を持つ軸部（ソケット部）５とを有している。ブルドン管１の管端１ａから指針軸に固定されたピニオン６までは変位拡大機構７となっている。図１では一部切断して示すように、軸部５の先端側には脈動緩和装置８の収容部が形成されており、脈動緩和装置８は中央連通孔９ａを持つゴム栓９で抜け止めされている。
【実施例１】
【００２９】
この脈動緩和装置８としては種々の態様のものを採用できるが、図２は実施例１に係る脈圧下げ止め装置を示す。この脈圧下げ止め装置１０は、金属製又は合成樹脂製の隔膜弁１２と、この隔膜弁１２より圧力源側に位置し、隔膜弁１２が離接可能であって隔膜弁１２の周縁側と接合した弁座面１４ａを持ち弁座体１４と、隔膜弁１２より撓み余裕空部Ｗを空けて圧力導入路側に位置し、隔膜弁１２に臨む撓み止め面１６ａを備えたストッパ部１６とを有する。隔膜弁１２は円形であって、図３（ａ）に示すように、中心点Ｏを通過する１本の切り込みＣを持つものや、図３（ｂ）に示すように、中心点Ｏを直交する２本の切り込みＣ１，Ｃ２を持つものである。弁座面１４ａは中心点Ｏと整合する位置に開けた透孔Ｈを備えている。ストッパ部１６は扁平の有底筒状で、撓み止め面１６ａは中心点Ｏと整合する位置に開けた貫通孔ｈを備えている。この脈圧下げ止め装置１０は、弁座体１４の開口から隔膜弁１２を押し込んだ後、更に弁座体１４の開口からストッパ部１６を押し込んで隔膜弁１２の周縁側を弁座面１４ａとスペーサ部１６の周壁の端面とで挟み込むと同時に、スペーサ部１６の底面のうち周縁側が弁座体１４の内周側鍔部１４ｂで抜け止めされて組み立てられる。
【００３０】
この脈圧下げ止め装置１０では、孔ｈ，Ｈと隔膜弁１２の中心点Ｏに隙間があるため、圧力源側と圧力導入路側との間の緩やかな圧力移動が保証されている。圧力源に発生した脈動（図１２（ａ）の破線）の昇圧推移ＵＰでは、図２（ｂ）に示す如く、圧力源から弁座面１４ａの透孔Ｈを介して隔膜弁１２の中心点Ｏに向けて圧力媒体が噴き出し、隔膜弁１２の央部が弁座面１４ａから離反し圧力導入路側へ撓み変形して切り込みＣ（Ｃ１，Ｃ２）の隙間が開くため、絞り作用が緩み、圧力導入路側へ圧力移動し、ブルドン管１内の脈動（図１２の実線）は圧力源側の脈動のトップ付近で大凡圧力平衡状態となる。この圧力平衡状態から脈動の降圧推移ＤＷでは隔膜弁１２の央部が弁座面１４ａに戻り接触して絞り作用が回復するので、ブルドン管１から圧力源に戻る圧力抜きが制限されてその圧力（計測圧力）の低下速度が弱まる。この緩慢な降圧過程において次の脈動が発生するとき、即ち脈動の発生頻度が高くなる程、ブルドン管１の圧力がより脈動のトップ側圧力に維持されたままとなるため、ブルドン管１での脈動振幅が減衰する。実験によれば脈動振幅が約３０％減少した。このため、激しい脈動発生でも指針表示の狂いを抑制でき、長寿命化を図ることができる。
【００３１】
弁座面１４ａは隔膜弁１２の戻り動作のストッパとして機能し、隔膜弁１２の過度な撓み変形を抑制できるので、長寿命化を図ることができ、また弁座面１４ａは隔膜弁の中心点（切り込み交差点）Ｏに圧力媒体を通過させる透孔Ｈを有しているため、切り込み片の撓み変形の乱れを防止でき、緩み作用が昇圧推移に応動する。更に、ストッパ部１６は隔膜弁１２の中心点（切り込み交差点）Ｏに圧力媒体を通過させる貫通孔ｈを有しているため、切り込み片の撓み変形の乱れを防止でき、絞り作用が降圧推移に応動する。
【実施例２】
【００３２】
図４は実施例２に係る脈圧下げ止め装置を示す。この脈圧下げ止め装置２０において図２に示す脈圧下げ止め装置と異なる点は、ストッパ部２６のみであり、その他の構成は図２のものと同一であるので、その説明を省略する。
【００３３】
ストッパ部２６の撓み止め面２６ａは貫通孔ｈをボトムとする凹状円錐面（テーパー面）となっている。ストッパ部２６の片面はフラットで、中心から周縁にかけて次第に肉厚になっている。隔膜弁１２の外周側も撓み止め面２６ａに接触するので、過度なストレスが発生せず、損傷又は劣化を防止でき、長寿命化を図ることができる。
【実施例３】
【００３４】
図５は実施例３に係る脈圧下げ止め装置を示す。この脈圧下げ止め装置３０において図２に示す脈圧下げ止め装置と異なる点は、ストッパ部３６のみであり、その他の構成は図２のものと同一であるので、その説明を省略する。
【００３５】
ストッパ部３６の撓み止め面３６ａは貫通孔ｈをボトムとする凹状湾曲面となっている。ストッパ部３６の片面はフラットで、中心から周縁にかけて次第に肉厚になっている。外周側には厚み方向に周壁３６ｂが圧力導入側方向に立ち上がっており、その端面は弁座体１４の内周鍔部１４ｂで抜け止めされている。このストッパ部３６においても隔膜弁１２の外周側も撓み止め面３６ａに接触するので、過度なストレスが発生せず、損傷又は劣化を防止でき、長寿命化を図ることができる。
【実施例４】
【００３６】
図６は実施例４に係る脈圧下げ止め装置を示す。この脈圧下げ止め装置４０において図５に示す脈圧下げ止め装置と異なる点は、ストッパ部４６の片面はフラットで、中心から周縁にかけて次第に肉厚となっている。ストッパ部４６の撓み止め面４６ａは貫通孔ｈをボトムとする凹状湾曲面となっている。
【実施例５】
【００３７】
図７は実施例５に係る脈圧上げ止め装置を示す。この脈圧上げ止め装置１０′は、図２に示す脈圧上げ止め装置１０を反転させた状態で図１の軸部５の収容部に収めるものである。脈圧上げ止め装置１０′は、金属製又は合成樹脂製の隔膜弁１２と、この隔膜弁１２より圧力導入路側に位置し、隔膜弁１２が離接可能であって隔膜弁１２の周縁側と接合した弁座面１４ａを持ち弁座体１４と、隔膜弁１２より撓み余裕空部Ｗを空けて圧力源に位置し、隔膜弁１２に臨む撓み止め面１６ａを備えたストッパ部１６とを有する。隔膜弁１２は円形であって、図３（ａ）に示すように、中心点Ｏを通過する１本の切り込みＣを持つものや、図３（ｂ）に示すように、中心点Ｏを直交する２本の切り込みＣ１，Ｃ２を持つものである。弁座面１４ａは中心点Ｏと整合する位置に開けた透孔Ｈを備えている。ストッパ部１６は扁平の有底筒状で、撓み止め面１６ａは中心点Ｏと整合する位置に開けた貫通孔ｈを備えている。
【００３８】
この脈圧上げ止め装置１０′では、孔ｈ，Ｈと隔膜弁１２の中心点Ｏに隙間があるため、圧力源側と圧力導入路側との間の緩やかな圧力移動が保証されている。圧力源に発生した脈動（図１２（ｂ）の破線）の降圧推移ＤＷでは、図１２（ｂ）に示す如く、圧力導入路側から弁座面１４ａの透孔Ｈを介して隔膜弁１２の中心点Ｏに向けて圧力媒体が噴き出し、隔膜弁１２の央部が弁座面１４ａから離反し圧力源側へ撓み変形して切り込みＣ（Ｃ１，Ｃ２）の隙間が開くため、絞り作用が緩み、圧力源側へ圧力移動し、ブルドン管１内の脈動（図１２の実線）は圧力源側の脈動のボトム付近で大凡圧力平衡状態となる。この圧力平衡状態から脈動の昇圧推移ＵＰでは隔膜弁１２の央部が弁座面１４ａに戻り接触して絞り作用が回復するので、圧力源からブルドン管１への圧力移動が制限されてその圧力（計測圧力）の上昇速度が弱まる。この緩慢な昇圧過程において次の脈動が発生するとき、即ち脈動の発生頻度が高くなる程、ブルドン管１の圧力がより脈動のボトム側圧力に維持されたままとなるため、ブルドン管１での脈動振幅が減衰する。実験によれば脈動振幅が約３０％減少した。このため、激しい脈動発生でも指針表示の狂いを抑制でき、長寿命化を図ることができる。
【００３９】
なお、本例のその他の作用効果は図２に示す実施例１と同じである。
【実施例６】
【００４０】
図８は実施例６に係る脈圧上げ止め装置を示す。この脈圧上げ止め装置２０′は、図４に示す脈圧上げ止め装置２０を反転させた状態で図１の軸部５の収容部に収めるものである。この脈圧上げ止め装置２０′においても、図７に示す脈圧上げ止め装置１０′と同様の作用効果を奏する。
【００４１】
ストッパ部２６の撓み止め面２６ａは貫通孔ｈをボトムとする凹状円錐面（テーパー面）となっている。ストッパ部２６の片面はフラットで、中心から周縁にかけて次第に肉厚になっている。隔膜弁１２の外周側も撓み止め面２６ａに接触するので、過度なストレスが発生せず、損傷又は劣化を防止でき、長寿命化を図ることができる。
【実施例７】
【００４２】
図９は実施例７に係る脈圧上げ止め装置を示す。この脈圧上げ止め装置３０′は、図５に示す脈圧上げ止め装置３０を反転させた状態で図１の軸部５の収容部に収めるものである。この脈圧上げ止め装置３０′においても、図７に示す脈圧上げ止め装置１０′と同様の作用効果を奏する。
【００４３】
ストッパ部３６の撓み止め面３６ａは貫通孔ｈをボトムとする凹状湾曲面となっている。ストッパ部３６の片面はフラットで、中心から周縁にかけて次第に肉厚になっている。外周側には厚み方向に周壁３６ｂが圧力導入側方向に立ち上がっており、その端面は弁座体１４の内周鍔部１４ｂで抜け止めされている。このストッパ部３６においても隔膜弁１２の外周側も撓み止め面３６ａに接触するので、過度なストレスが発生せず、損傷又は劣化を防止でき、長寿命化を図ることができる。
【実施例８】
【００４４】
図１０は実施例８に係る脈圧上げ止め装置を示す。この脈圧上げ止め装置４０′は、図５に示す脈圧上げ止め装置４０を反転させた状態で図１の軸部５の収容部に収めるものである。この脈圧上げ止め装置４０′においても、図７に示す脈圧上げ止め装置１０′と同様の作用効果を奏する。
【００４５】
ストッパ部４６の片面はフラットで、中心から周縁にかけて次第に肉厚となっている。ストッパ部４６の撓み止め面４６ａは貫通孔ｈをボトムとする凹状湾曲面となっている。
【実施例９】
【００４６】
図１１は実施例９に係る脈圧緩和装置を示す。この脈圧緩和装置１００は図１の軸部５の収容部に収めるものであるが、図４に示す脈圧下げ止め装置２０と図８に示す脈圧上げ止め装置２０′とを直列に接続した構造となっている。
【００４７】
即ち、脈圧緩和装置１００は、第１隔膜弁５０と、第２隔膜弁６０と、第１弁座体７０と、第２弁座体８０と、共用ストッパ部９０とを有する。第１隔膜弁５０と第２隔膜弁６０とは図２に示すように中心点Ｏから放射方向に延びる複数の切り込みＣ１（Ｃ２，Ｃ３）が形成されて成り、第１隔膜弁５０の周縁は第１弁座体７０と共用ストッパ部９０とに挟まれ、第２隔膜弁６０の周縁は第２弁座体６０と共用ストッパ部９０とに挟まれている。脈圧下げ止め手段としては、第１隔膜弁５０と、第１隔膜弁５０よ圧力源側に位置し、第１隔膜弁５０の央部が離接可能であって第１隔膜弁５０の周縁側と接合した第１弁座面７０ａとを有する。脈圧上げ止め手段としては、第２隔膜弁６０と、第２隔膜弁６０より圧力導入路側に位置し、第２隔膜弁６０の央部が離接可能であって第２隔膜弁６０の周縁側と接合した第２弁座面８０ａとを有する。第１弁座面７０ａは第１隔膜弁５０の中心点Ｏと整合する位置に開けた第１透孔Ｈ１を備え、第２弁座面８０ａは第２隔膜弁６０の中心点Ｏと整合する位置に開けた第２透孔Ｈ２を備える。共用ストッパ部９０は、貫通孔ｈを有し、第１隔膜弁５０の撓み変形を一定限で阻止する第１撓み止め面９０ａと、第２隔膜弁６０の撓み変形を一定限で阻止する第２撓み止め面９０ｂとを有する。
【００４８】
図１１（ａ）は圧力源側と圧力導入路側の圧力平衡状態を示す。孔ｈ，Ｈと隔膜弁１２の中心点Ｏに隙間があるため、圧力源側と圧力導入路側との間の緩やかな圧力移動が保証されている。
【００４９】
圧力源に発生した脈動（図１２（ｃ）の破線）の昇圧推移ＵＰでは、図１１（ｂ）に示す如く、第１隔膜弁５０が第１撓み止め面９０ａへ撓み変形するものの、第２隔膜弁６０が絞り作用を強める。圧力源に発生した脈動（図１２（ｃ）の破線）の降圧推移ＤＷでは、図１１（ｃ）に示す如く、第２隔膜弁６０が第２撓み止め面９０ｂへ撓み変形するものの、第１隔膜弁５０が絞り作用を強める。このため、ブルドン管１内の脈動（図１２の実線）は圧力源側の脈動の中央付近を推移するので、ブルドン管１での脈動振幅が大幅減衰する。実験によれば脈動振幅が約６０％減少した。このため、激しい脈動発生でも指針表示の狂いを抑制でき、長寿命化を図ることができる。
【図面の簡単な説明】
【００５０】
【図１】本発明のブルドン管圧力計を示す一部切断正面図である。
【図２】本発明の実施例１に係る脈圧下げ止め装置を示す縦断面図である。
【図３】本発明の実施例に用いる隔膜弁を示す平面図である。
【図４】本発明の実施例２に係る脈圧下げ止め装置を示す縦断面図である。
【図５】本発明の実施例３に係る脈圧下げ止め装置を示す縦断面図である。
【図６】本発明の実施例４に係る脈圧下げ止め装置を示す縦断面図である。
【図７】本発明の実施例５に係る脈圧上げ止め装置を示す縦断面図である。
【図８】本発明の実施例６に係る脈圧上げ止め装置を示す縦断面図である。
【図９】本発明の実施例７に係る脈圧上げ止め装置を示す縦断面図である。
【図１０】本発明の実施例８に係る脈圧上げ止め装置を示す縦断面図である。
【図１１】本発明の実施例９に係る脈圧緩和装置を示す縦断面図である。
【図１２】（ａ）は実施例１〜４において圧力源側の脈動に対するブルドン管内の脈動を示す脈動推移図、（ｂ）は実施例５〜８において圧力源側の脈動に対するブルドン管内の脈動を示す脈動推移図、（ｃ）は実施例９において圧力源側の脈動に対するブルドン管内の脈動を示す脈動推移図である。
【符号の説明】
【００５１】
１…ブルドン管
１ａ…管端
２…ゲージ本体
３…圧力導入路
４…ネジ部
５…軸部（ソケット部）
６…ピニオン
７…変位拡大機構
８…脈動緩和装置
９…ゴム栓
９ａ…中央連通孔
１０，２０，３０，４０…脈圧下げ止め装置
１０′，２０′，３０′，４０′…脈圧上げ止め装置
１２…隔膜弁
１４…弁座体
１４ａ…弁座面
１４ｂ…内周側鍔部
１６，２６、３６，４６…ストッパ部
１６ａ，２６ａ，３６ａ，４６ａ…撓み止め面
１００…脈圧緩和装置
５０…第１隔膜弁
６０…第２隔膜弁
７０…第１弁座体
７０ａ…第１弁座面
８０…第２弁座体
８０ａ…第２弁座面
９０…共用ストッパ部
９０ａ…第１撓み止め面
９０ｂ…第２撓み止め面
Ｃ，Ｃ１，Ｃ２…切り込み
Ｈ…透孔
Ｈ１…第１透孔
Ｈ２…第２透孔
ｈ…貫通孔
Ｗ…撓み余裕空部
【図１】
0004625748.tif 000002
【図２】
0004625748.tif 000003
【図３】
0004625748.tif 000004
【図４】
0004625748.tif 000005
【図５】
0004625748.tif 000006
【図６】
0004625748.tif 000007
【図７】
0004625748.tif 000008
【図８】
0004625748.tif 000009
【図９】
0004625748.tif 000010
【図１０】
0004625748.tif 000011
【図１１】
0004625748.tif 000012
【図１２】
0004625748.tif 000013